(57)【要約】  本発明は情報通信端末機の漢字の入力方法及び入力装置に関するものである。本発明による漢字入力方法を構成する字画が配置されたキーボードを具備した情報通信端末機で漢字を入力する方法において、漢字を字画単位に分離して、字画を筆順によって順序どおりに押すことによって、漢字を入力するのである。そして、本発明による漢字の入力方法を遂行する為の漢字の入力装置は漢字を構成する字画が配置されたキーボードを具備して、使用者が特定のキーを押す場合、各キーに対応するキーデータの信号を発生して出力するキー入力部とキー入力部からキーデータの信号を受信して、使用者が入力しようとする漢字の入力及び表示を制御する文字発生制御部及びキー入力部で出力されたキーデータの信号及び文字発生制御部で出力された制御信号を受信して、入力されたキーによる選ばれた漢字を表示する表示部を具備する。【選択図】図３
2008546045.tif 000002
【特許請求の範囲】
【請求項１】
漢字を構成する字画が復数個が配置されたキーボードを具備した情報通信端末機で漢字を入力する方法において、
入力しようとする漢字を字画単位で分離する段階と、
前記キーボードに配置された字画を筆順によって順番どおりに選択する段階と
を備える方法。
【請求項２】
前記キーボードに配置された字画が、次の２８字画、
2008546045.tif 000033
である、請求項１に記載の方法。
【請求項３】
前記キーボードに配置された字画が、次の２６字画、
2008546045.tif 000034
である、請求項１に記載の方法。
【請求項４】
入力しようとする漢字の字画に当るキーを少なくとも１回押す段階と、
入力された字画で始まるすべての漢字が漢字アルファベットの配列法によって配置された目録窓を生成する段階と、
前記目録窓に配列された漢字から所望の漢字を選ぶ段階と
を更に備える請求項１に記載の方法。
【請求項５】
前記目録窓が、１００個単位の漢字のグループで配列された漢字を含み、
前記グループ間の移動が、“Page Up”キー、“Page Down”キー及び矢印キーを含むキーを用いて行われる、請求項４に記載の方法。
【請求項６】
前記目録窓を生成する前記段階が、使用頻度が高い所定個数の漢字が配列される頻度窓を、前記目録窓と共に生成する段階を含む、請求項４に記載の方法。
【請求項７】
機能キーと共に使用頻度が高い所定個数の漢字が配置されたキーを押した場合に、字画の代わりに、対応の漢字が一度に入力される、請求項１〜６のいずれか一項に記載の方法。
【請求項８】
請求項１〜６のいずれか一項に記載の漢字を入力する方法を遂行するための漢字入力装置であって、
漢字を構成する字画が配置されたキーボードを含み、使用者が特定キーを押した際に該特定キーに対応するキーデータの信号を発生して出力するキー入力部と、
前記キー入力部からキーデータの信号を受信して、使用者が入力しようとする漢字の入力及び表示を制御する、文字発生制御部と、
前記キー入力部で出力されたキーデータの信号及び前記文字発生制御部で出力された制御信号を受信して、入力されたキーにより選ばれた漢字を表示する表示部と、
を具備する漢字入力装置。
【請求項９】
前記キーボードに配置された字画が、次の２８字画、
2008546045.tif 000035
である、請求項８に記載の漢字入力装置。
【請求項１０】
前記キーボードに配置された字画が、次の２６字画、
2008546045.tif 000036
である、請求項８に記載の漢字入力装置。
【発明の詳細な説明】
【技術分野】
【０００１】
本発明はコンピュータなどで漢字を入力する方法及び入力装置に関するもので、特に２８種で分類された漢字の字画を利用して筆順によって手軽に入力する事が出来る漢字入力方法及び入力装置に関するものである。
【背景技術】
【０００２】
従来、漢字事典などで望む漢字を探すには部首別、子音別、総画別検索法を利用する事が出来る。この中で、部首別検索法は部首を識別する過程、部首の画数を計算する過程、部首索引で該当部首を探す過程、部首を除いた残りの画数を計算する過程、該当の字を見付ける過程を経ることになる。このような部首検索法は、部首を習うのに多くの時間の学習が必要であり、甚だしくはかなり実力がある場合にもかかわらず、部首を全部識別するのがやさしくない問題点がある。
【０００３】
また、子音の検索法は漢字の音によって検索する方法であるが、分からない字は子音さえも分からない場合がほとんどで、実際に使用には非常に不便である。そして総画検索法は全体の表題者を１画から最大６４画までの画数に所属させることにおいて各画数に属する字が多すぎるの為多くの時間が要求される問題がある。
【０００４】
このように従来の方法で漢字を検索するには多くの時間と苦労が必要なものが実情である。そして、漢字をコンピュータなどの情報通信端末機を利用して入力するのはこのような検索法の困難と漢字自体の問題点の為にさらに難しい。
【０００５】
現在広く使用されているコンピュータなどの情報通信端末機を利用して文字を入力することにあって、キーボード、すなわち字板の技能と役割りは非常に重要である。例えば、コンピュータのキーボードにはわれ々のハングルを入力する為にハングルの子音と母音がキーボードに配置されてあって、キーボードの各キーまたは拡張キーなどを利用してハングルのすべての音を具現して出している。このように英語もキーボードに配置されたアルファベットを利用して入力しようとする単語を順次的に押すことによって入力する事が出来る。
【０００６】
ところで、漢字は意味の字なのでコンピュータなどの情報通信端末機を利用して文字を入力するのが非常に難しい。これは漢字の個数が理論的には無限大で、中国で公式的に指定された漢字だけも約７千字で、さらにこのような数多くの漢字を効率的に入力する為の入力法が開発されていない為である。
【０００７】
従来の漢字入力方法には中国で使っている“漢語併音”方式がある。これは中国語の発音をローマ字に入力した後、再び中国語に変換する方式を言う。この方式は中国大陸だけでなく外国人が中国語を習う時に、一番多く利用する方式である。次に台湾で使っている“主音符号”方式がある。これは中国語の発音記号に当る主音符号を入力して幾つの中国語が表示されると、その中で望む字を選ぶ方式を言う。しかし、主音符号は習得しにくくて、台湾内でも“漢語併音”方式を従おうと主張が現れる実情である。日本で利用する漢字入力方法も中国で利用する方法と類似である。
【０００８】
このように併音入力法や主音符号を利用した入力法によると、入力された併音や主音に一致する多数の漢字がコンピュータの画面に現れる事になって、その中で必要な漢字をマウスクリックや方向キー及びエンターキーなどを利用して入力する事になる。しかし、このような方式の問題点は文字の入力時間が長すぎて、複雑である。
【０００９】
このように文字の限界によってコンピュータのキーボードなどで字板の配列が問題になり、字板の配列がよく成り立ったとしても文字を入力する時に他の文字に比べて相対的に多くの時間がかかると、情報化時代で競争力が落ちるしかない。もちろん、この一つの事実だけで国家の競争力の見当をつける絶対的な物差しで見る事は出来ないが、反対に情報通信端末機を利用した文書作成と文字メッセージの転送において、別の文字より早いと言えばそれによった競争力の向上は多くの役の立つことである。
【発明の開示】
【発明が解決しようとする課題】
【００１０】
本発明は上記の事を勘案して発明されたもので、韓国または中国などの漢字文化圈の国でコンピュータのキーボードを利用して漢字を入力しようとする場合、漢字を字画別に分離して入力する事が出来る情報通信端末機の漢字入力方法及び装置を提供する事にその目的がある。
【課題を解決するための手段】
【００１１】
漢字はその数字が多くてハングルと英語のアルファベットのように具現するには構造的な欠陥を持っている。従って、漢字のこのような問題点にもかかわらずハングルと英語アルファベットのように画面に独立的な入力方式を具現するのに本発明の目的があるので、これを解決する為の方式は組合型の方式が唯一の方法である。今までのすべての漢字入力方法はすでに作り出された完成型漢字を出して使う方式、すなわち画面を見て入力する方式であったが、本発明は組合型方式を利用するので画面に依存しなくても文書だけを見て入力する事が出来る。
【００１２】
本発明は漢字それ自体を漢字アルファベットの組合型で表現出来るように技術を開発したものである。従って、漢字を入力しようとする場合はこれを組合型文字で入力する事が出来るので、既存の漢字入力方式よりずっと効率的な情報通信端末機の漢字入力方法及び装置を提供する事が出来る。
【００１３】
本発明による漢字の入力方法は、漢字を構成する字画が復数個が配置されたキーボードを具備した情報通信端末機で漢字を入力する方法において、入力しようとする漢字を字画単位で分離して、上記のキーボードに配置された字画を筆順によって順番どおりに押すことによって、漢字を入力するのを特徴とする。
【００１４】
このような漢字の入力方法は、使用者が入力しようとする漢字の字画に当るキーを少なくとも１回押す段階、入力された字画で始まるすべての漢字が漢字アルファベットの配列法によって配置された目録窓が生成される段階及び上記の目録窓に配列された漢字の中で使用者が望む漢字を選ぶ段階とを具備して成り立つ事を特徴とする。また上記の目録窓が生成される段階で、使用頻度が高い所定個数の漢字が配列される頻度窓が上記の目録窓と共にもっと生成される事も出来るし、機能キーと共に使用頻度が高い所定個数の漢字が配置されたキーを押すと字画代わりにその漢字が一度に入力されるのも可能である。
【００１５】
本発明による漢字の入力方法を遂行する為の入力装置は漢字を構成する字画が配置されたキーボードを具備して、使用者が特定キーを押す場合は各キーに対応するキーデータの信号を発生して出力するキー入力部、上記のキー入力部からキーデータの信号を受信して、使用者が入力しようとする漢字の入力及び表示を制御する文字発生制御部及び上記のキー入力部で出力されたキーデータの信号及び上記の文字発生制御部で出力された制御信号を受信して、入力されたキーによる選ばれた漢字を表示する表示部を具備することを特徴とする。
【発明の効果】
【００１６】
上記のように漢字アルファベットの配列法は基本原理が簡単で誰でも易しく習えるし、短い時間の学習だけでも充分な検字能力を持てる優秀な方法である。従って、部首、子音や総画検字法に大きく依存して来た不便な漢字の検索方法代わりに、漢字アルファベットの配列法によると字画を認識して誰でもどんな部首に属するのか、どんな字音なのか、総画の幾かは分からなくても漢字を見ながら決まった筆順によって正確に探せるようになる。
【００１７】
また、このような漢字アルファベットの配列法に基礎した漢字の入力方法及び入力装置は漢字を字画を基準で分解してキーボードに配置することによって、コンピュータを利用する時、誰でも手軽に漢字を入力することが出来るし、入力する速度が別の方法に比べてずっと早いと言う効果がある。さらに本発明は漢字をアルファベットに概念化したの為に望む漢字の筆順だけを正確に知っていると視覚障碍人もいくらでも漢字の入力が可能である。
【００１８】
以下、添付された図面を参照して本発明による望ましい実施形態を詳しく説明することにする。しかし、以下の実施形態はこの技術分野で通常的な知識を持った者に本発明が充分に理解されるように提供される事でいろいろな別の形態で変形される事が出来て本発明の範囲が次に記述される実施形態に限定されるのではない。
【発明を実施するための最良の形態】
【００１９】
以下、例示図面を参照して本発明による実施形態を詳しく説明する。
【００２０】
まず、漢字のアルファベットの配列法について説明する。
【００２１】
漢字アルファベットの配列法と言うのは韓国や台湾の翻体字、日本式略字、中国の間体字を分析して字に使われるすべての画を２８個に整理して、このような字画２８個について順序を与えてすべての漢字を配列したものである。
【００２２】
このような２８個の字画中で１８個は漢字を書く時一番目の画から使用される事が出来るし、残りの１０個は漢字を書く時、一番目の画では使わなくて、２番目の画の以下から現れるのである。漢字アルファベットの配列法を利用すれば漢字を分類する方法が２１４個の部首を利用した方法に比べて２８個の字画を利用した分類に大きく短縮されることが出来る。
【００２３】
漢字アルファベットの配列法による２８個の字画は次のようなものである。
2008546045.tif 000003
2008546045.tif 000004
2008546045.tif 000005
2008546045.tif 000006
2008546045.tif 000007
2008546045.tif 000008
2008546045.tif 000009
2008546045.tif 000010
2008546045.tif 000011
2008546045.tif 000012
2008546045.tif 000013
2008546045.tif 000014
2008546045.tif 000015
2008546045.tif 000016
2008546045.tif 000017
2008546045.tif 000018
2008546045.tif 000019
2008546045.tif 000020
2008546045.tif 000021
2008546045.tif 000022
2008546045.tif 000023
2008546045.tif 000024
2008546045.tif 000025
2008546045.tif 000026
2008546045.tif 000027
2008546045.tif 000028
2008546045.tif 000029
2008546045.tif 000030
【００２４】
この中で、（２）、（３）、（６）、（７）、（１５）、（１６）、（１８）、（１９）、（２５）、（２６）番は漢字の２番目の以下から現れる。
【００２５】
このように整理された総２８個の画を基準で全体の漢字を順序どおりに配列する方法は次のようである。まず、個別漢字の一番目の画が上記の２８個の基本画中でどちらのものを利用するかによって分類すれば、全体の漢字について総２８個のグループが生成される。このような１８個グループの順序は上記羅列した順序に従う。各グループ内に属する漢字の順序は再び２番目の画を分析して２番目の画によった各グループに分けて、２番目の画によった各グループもやはり上記の羅列した字画順序に従う。再び３番目の画によったグループに分けて、４番目の画によったグループに分ける過程をつづけて返復すれば、全体漢字についての順序が決まる。従って、中国、韓国、日本の漢字などすべての漢字を上記のような漢字アルファベットの配列法を利用して順序とおりに体係的に配列することが出来るのである。
【００２６】
このような漢字アルファベットの配列法を利用して中国式の漢字部首を配列すれば図１のように表すことが出来る。図１は中国式の漢字部首を漢字アルファベットの配列法によって順序どおりに配列したもので（１）、（４）、（５）、（８）、（９）、（１１）、（１２）、（１３）、（１４）、（１７）、（２０）、（２１）、（２２）、（２３）、（２４）、（２７）、（２８）字画の総１８個を基準ですべての漢字部首が順序どおりに配列されることが出来ると同時に分かる。これと類似に、図２を参照すれば、日本式の漢字部首も漢字アルファベットの配列法を利用して順序とおりに配列されることが出来る。
【００２７】
従来の部首検索法を利用すれば多くの時間が必要で、画数の計算が違うと検索に失敗することが出来るが、漢字アルファベットの配列法を利用して検索すれば、国語事典や英語事典のように部首や画数を考えなくても探すことがしやすくなる。また、既存の総画の入力法によっても漢字の検索が難しかったが、漢字アルファベットの配列法を利用すれば、既存の方法よりもっとも早く検索することが出来る長所がある。
【００２８】
次に、図面を参照して漢字アルファベットの配列法による漢字入力方法を説明する。
【００２９】
上述のように漢字アルファベットの配列法は漢字を字画単位で分解したので漢字アルファベットの入力法と言うのはこのような漢字の字画単位による入力方法である。すなわち、２８個の字画が英語のアルファベットのように配置されたキーボードを利用して、使用者が望む漢字を作る為にこのような字画を順番どおりに押すことによって一つの字を入力することが出来る。
【００３０】
上記の２８個の字画は使用者が一番便利に使える位置に適切に配置すればいい。また標準のコンピュータのキーボードで英語のアルファベットやハングルが配置されるキーは総２６個なので、上記の２８個の画中で（２）番と（３）番を統合して一つにして、（１０）番と（１１）番を統合して一つにして総２６個の画を利用することが出来る。
【００３１】
このようにキーボードに２６個の字画を配置した例を図３〜４を参照して説明する。図３は本発明の一実施形態による漢字入力の方法を遂行する為のキーボード配置の一例であり、図４及び５は本発明の一実施形態による漢字の入力方法を遂行するためのキーボード配置の別の例である。
【００３２】
図３を参照すれば、総２６個の字画がキーボードの一番上のラインの左側から右側へ、再び次のラインへ順序どおりに配列されたことを見せる。図３によるキーボードは漢字アルファベットの字画を順序どおりに配列したものであるが、実際の応用では入力される漢字の頻度数、字画の頻度数、一番目の画に利用される字画なのかの與否などを基準で最適化させて、配列すれば良い。例えば、図４を参照すれば、このような基準を質で２６個の字画を配置した望ましい例を表していて、図５はまた別の例を表している。ここでは、キーボードの字画配置において三つの例だけを図示したが使用者の便宜によって多様な別の例も可能と言うのは勿論である。
【００３３】
このように漢字の字画が配置されたキーボードを利用してコンピュータなどで漢字を入力する方法はいろいろある事が出来る。以下では総２６個の字画が配置されたキーボードを利用して漢字を入力する方法を図６〜図８を参照して説明する。
【００３４】
第１入力法は入力しようとする漢字の字画を分析した後、このような字画を筆順によって順序とおりに入力するのである。例えば、漢字の字画を漢字アルファベットの配列法によって分析すれば次のようである。
一：（１）
二：（１）（１）
三：（１）（１）（１）
干：（１）（１）（１３）
土：（１）（１３）（１）
正：（１）（１３）（１）（１３）（１）
口：（１３）（４）（１）
里：（１３）（４）（１）（１）（１）（１３）（１）
古：（１）（１３）（１３）（４）（１）
【００３５】
従って、使用者が“一”を入力しようとする時には（１）の字画が配置されたキーを一回押すと良い。類似に使用者が“二”を入力しようとする時には（１）の字画が配置されたキーを２回つづけて押せば良いし、“土”を入力しょうとする時には（１）（１３）（１）が配置されたキーを順序どおりに押せば良い。この時、使用者は入力しようとする漢字を成り立つ各字画を順序どおりに押した後、ターキーまたはスペースバーを押すことによって字間の区分が出来る。
【００３６】
本発明による漢字の入力方法は組合型方式を利用するので、漢字を入力する中に間違った漢字で修正が必要の時はパクスペースキーで一つの画ずつ消して行くことが出来る。例えば、入力しようとする漢字が“才”なのに“寸”に間違って入力した場合は、最後の字画の
2008546045.tif 000031
をパクスペースキ-で修正した後
2008546045.tif 000032
字画を入力すれば“才”に修正される。
【００３７】
また、求を入力しようとすれば寸入力後につづけて次の字画を入力すれば良い。もしも、寸が望む漢字の場合にはエンターキーやスペースバーをクリックして入力確定した後、新しい漢字を入力するし、また使用者の疲労度を勘案して画面で入力するカーソの真下や上または左右に四角の窓を置いてポントの大きさを調整して大きく見えるのも出来る。
【００３８】
理論的にはすべての漢字は各漢字の筆順によって総２６個のキーを利用して入力することが出来るが、すべての漢字を画数だけで入力すると、総画が多すぎる漢字は入力時間が長すぎるようになる。従って、字画の入力法の基本は維持して、これをもっとも便利に変形した第２及び第３入力法について説明する。 
【００３９】
第２入力法は使用者が入力しようとする漢字の一番目の画に当るキーを押せば入力された字画で始めるすべての漢字が個別の目録窓に配列されるのである。図６は本発明の一実施形態による漢字目録窓の例を表す。万一使用者が“表”を入力しようとする場合、この漢字の一番目の“一”が配置されたキーを押すと図６のような候補漢字を羅列した目録窓がコンピュータの画面に表すことになる。目録窓に現れた各漢字の配列は漢字アルファベットの配列法に従うので、漢字の数が多くても使用者は容易に自分で入力しようとする漢字を探せる。例えば、使用者は目録窓で直接“表”をマウスで押すことによって漢字を入力することが出来るし、“表”に当る番号の“７５”をキーボードの数字キーを利用して直接押すこともある。
【００４０】
万一、一番目の画によって配列された漢字の数が多すぎると、例えば１００個単位で分けて目録窓を別のようにするのが出来る。すなわち、始めの１００個に当る漢字だけ配列させて、使用者が“Page Down”キーを押すと次１００個に当る漢字を配列する方式である。以前Pageへ移動しようとする場合には“Page Up”を押すことによって可能で、“Page Up”と“Page Down”キー代わりに目録窓に手形または矢印などを表示することによってマウスを利用するのも出来る。従って、使用者は窓に配列された漢字中で自分で入力しようとする漢字を選ぶことによって手軽に望む漢字を入力することが出来るのである。
【００４１】
しかし、万一使用者が押した始め画に当る漢字が多すぎると、この中で望む一つを探しにくいこともある。従って、第２入力法を基本的に利用するが、これに付加的に、使用者が二番目の画、三番目の画などをつづけて押すと、各２番目の画までまたは３番目の画までに当る漢字が目録窓に配列されるようにして、使用者がさらに少ない範囲で該当漢字を選ばせることもある。すなわち、使用者が総字画の中でいろいろ字画を順序どおりに押すほどこれに当る漢字がすくなくなるのでもっと少ない数の漢字が目録窓に配列されて使用者はもっとも容易に自分で入力しようとする漢字を探すことが出来るのである。
【００４２】
次に第３入力法は全体の漢字中で多く使う漢字をすでに抽出して、漢字アルファベットの配列法によって配列した頻度窓を利用するのである。第３入力法を図６を参照して説明する。
【００４３】
図６は本発明の一実施形態による漢字入力方法の漢字頻度窓の例を表した図面である。頻度窓はある国家で、例えば中国で一番よく使う漢字を所定個数を前もって抽出して、漢字アルファベットの配列法によって配列したものである。従って使用者が漢字を入力しようとする場合、頻度窓を利用して望む漢字をマウスでクリックすることによって一回だけに入力することが出来る長所がある。
【００４４】
図７の例では、中国で多く使う漢字２００個を頻度窓に配置した例を見せているが、このような個数は使用者の選択によって１００個または３００個などで変形させることが出来るのは勿論である。図７のように配列された２００個の漢字は一番目の画を基準で１８個のグループに分けられて、各グループの始まる漢字をボルド体に太く表示または使用者から易しく望む漢字を探せることが出来る。
【００４５】
上記で説明した第１入力法、第２入力法または第３入力法は漢字の入力方法を遂行する為の漢字入力装置で使用者が望むとおりに選んで使えるし、この中で二つを共に使える。例えば、図８は第２入力法の目録窓と第３入力法の頻度窓を同時に使う例を表した図面である。
【００４６】
また、上記の第１入力法、第２入力法、または第３入力法と共にキーボードのシフト（Shift）、コントロール（Control）などの機能キーを利用した変形例も可能するのは勿論である。例えば、ハングルの双子音を入力しようとする場合に機能キーを利用して、キーに基本的に配置された子音を拡張することが出来るように、キーボードに２６個の字画だけでなく、頻度数が高い漢字を共に配置して、機能キーと共にこのようなキーを押せば字画代わりにその漢字が一回に入力される方式も可能である。
【００４７】
次に、漢字入力方法を遂行する為の入力装置について図９を利用して説明する。
【００４８】
図９は本発明の望ましい実施形態による漢字入力装置のブロック図である。漢字入力装置（１００）はキー入力部（１０２）、文字発生制御部（１０４）及び、表示部（１０６）で成り立つ。キー入力部（１０２）は漢字の字画が所定個、例えば２６個の配置された多数のキーを具備していて、使用者が特定キーを押す時に当るキーデータを発生して文字発生制御部（１０４）で出力することになる。文字発生制御部（１０４）は漢字入力装置の全般的な動作を制御する役割りをする。表示部（１０６）はキー入力部（１０２）で発生されるキーデータ及び文字発生制御部（１０４）の各種情報通信信号を入力受けてディスプレイする。
【００４９】
すなわち、上記の入力方法で説明したように、使用者がキー入力部（１０２）に配置されたキーを押すと、キー入力部（１０２）は各キーに対応する信号を発生させて、文字発生制御部（１０４）は各入力法による文字の表示と入力を制御して、表示部（１０６）は入力されたキーによる選ばれた漢字を表示することになる。
【００５０】
漢字入力装置（１００）のキー入力部（１０２）は図３及び図４を参照して上記で説明したように多様な配列方式によるキーボードで作られることが出来るし、表示部（１０６）は一般的にLCDやモニターなどで具現されることが出来る。
【００５１】
以上のように本発明の望ましい実施形態をあげて詳しく説明したが、本発明は上記の実施形態に限定されるのではなく、本発明の技術的事象の範囲内で当分野で通常の知識を持った者によっていろいろな変形が可能である。
【図面の簡単な説明】
【００５２】
【図１】中国式の漢字部首を漢字アルファベットの配列法によって順序とおりに配列したものを表した図である。
【図２】日本式の漢字部首を漢字アルファベットの配列法によって順序とおりに配列したものを表した図である。
【図３】本発明の一実施形態による漢字入力方法を遂行する為のキーボードの配置を表した図である。
【図４】本発明の別の実施形態による漢字入力方法を遂行する為のキーボードの配置を表した図である。
【図５】本発明の更に別の実施形態による漢字入力方法を遂行する為のキーボードの配置を表した図である。
【図６】本発明の一実施形態による漢字入力方法の漢字目録窓を表した図である。
【図７】本発明の一実施形態による漢字入力方法の漢字頻度窓を表した図である。
【図８】本発明の一実施形態による漢字の入力方法で第２入力法の目録窓と第３入力窓の頻度窓を同時に使う例を表した図である。
【図９】本発明の望ましい実施形態による漢字入力装置のブロック図である。
【図３】
2008546045.tif 000037
【図４】
2008546045.tif 000038
【図５】
2008546045.tif 000039
【図１】
2008546045.tif 000040
【図２】
2008546045.tif 000041
【図６】
2008546045.tif 000042
【図７】
2008546045.tif 000043
【図８】
2008546045.tif 000044
【図９】
2008546045.tif 000045
【国際調査報告】
2008546045.tif 000046
2008546045.tif 000047